(57)【要約】【課題】静止状態で無秩序に分布している荷電粒子に、永久磁石の静磁場を作用させることにより、荷電粒子の運動と、秩序を有する分布を得る方法。そして誘電体に、永久磁石の静磁場を作用させることにより、永続的な電気エネルギ−を得る方法。【解決手段】静止状態で無秩序に分布している荷電粒子、そして誘電体に素数磁場を作用させることにより、課題は解決できる。【選択図】   図２
2010197203.tif 000002
【特許請求の範囲】
【請求項１】
複数の永久磁石の同磁極を点、線、面で接触又は近接させたときの磁場の物理的特性は、素数を用いた数論式と対応関係にあり、その磁場を素数磁場、磁束を素数磁束と名称することにより素数磁場での素数磁束の分布によるエントロピ−とかエントロピ−の変化等の巨視的現象は、統計力学的な概念を意味する数論式を求めることにより理解できる。統計力学的概念を意味する数論式は、（数式１）と（数式２）で表示され（数式１）は素数磁場での素数磁束の分布のエントロピ−、（数式２）は分布に秩序性とか構造性を与える仕事を意味する数論上のゼ−タ関数ζ（ｓ）である。エントロピ−とゼ−タ関数は（数式３）により結びつく。素数磁束の分布のエントロピ−は、ζ（ｓ）の効果により減少しようとし、減少した量に比例した仕事が素数磁束に与えられ、素数磁束は縦方向と横方向に振動する。静止状態で無秩序に分布している荷電粒子に素数磁場を作用させると、荷電粒子は回転運動、自転運動を生じ、電荷の円運動は磁気モ−メントを  生じ、磁気モ−メントは素数磁場に配向し磁化を発生し、磁気モ−メントも素数磁束の振動に伴って振動するから運動を得て、荷電粒子は集合を形成し、秩序性とか構造性を与えるζ（ｓ）の効果により異種荷電粒子は分離し、秩序を有する分布が得られることにより、静止状態で無秩序に分布している荷電粒子に素数磁場を作用させることにより、荷電粒子の集合の形成、異種荷電粒子との分離、秩序を有する分布を得る方法。
【数１】
2010197203.tif 000011
【数２】
2010197203.tif 000012
【数３】
2010197203.tif 000013
【請求項２】
素数磁場は静止状態で無秩序に分布している電荷に集合、異種の電荷との分離、そして秩序を有する分布を与えるから、誘電体に素数磁場を作用させることにより、分極電荷が生じ、誘電体は永続的に分極し、誘電体を金属板ではさんだコンデンサを素数磁場内に積層することにより、誘電現象より永続的な電気エネルギ−を得る方法。
【発明の詳細な説明】
【技術分野】
【０００１】
本発明は、静止状態で無秩序に分布している荷電粒子に素数磁場を作用させることにより、素数磁束の縦方向と横方向の振動に伴い荷電粒子の回転運動、自転運動そして磁気モ−メントが生じることによる集合の形成と、ζ（ｓ）の効果により、異種荷電粒子との分離、そして秩序を有する分布を得る方法に関するものである。そして誘電体に素数磁場を作用させることにより、分極電荷の発生と誘電現象により、永続的な電気エネルギ−を得る方法に関するものである。
【背景技術】
【０００２】
従来電気磁気学では、永久磁石の静磁場は、静止した荷電粒子には運動などの影響を及ぼさないとされてきた。  
【０００３】
永久磁石の静磁場の作用により、荷電粒子の集合、異種荷電粒子との分離、そして秩序を有する分布を得る方法も、現段階で見当たらない。
【０００４】
永久磁石の静磁場の作用により、静止した荷電粒子に回転運動、自転運動などの影響を及ぼすには、磁束を不連続に分布させ、縦方向と横方向に振動させることが必要である。静止した永久磁石の磁束を不連続に分布させ、縦方向と横方向に振動させるのは、複数の永久磁石の同磁極を点、線、面で接触又は近接させたときの磁場、即ち素数磁場である。
【先行技術文献】
【特許文献】
【０００５】
【特許文献１】特願２００８−１４０３１８号
【特許文献２】特願２００８−２５６９７９号
【特許文献３】特願２００８−３２９１７２号
【発明の概要】
【発明が解決しようとする課題】
【０００６】
静止状態で無秩序に分布している荷電粒子に永久磁石の静磁場を作用させることにより、荷電粒子を集合させ、異種荷電粒子を分離させ、そして秩序を有する分布を得る方法が課題である。
【０００７】
誘電体に永久磁石の静磁場を作用させることにより、誘電体に分極電荷を生じさせ、誘電現象により永続的な電気エネルギ−を得る方法が課題である。  
【課題を解決するための手段】
【０００８】
本出願人は課題を解決すために統計力学的な概念を有する素数を用いた数論式に着目した。
【０００９】
素数を用いた数論式と素数磁場での物理的特性は対応関係にあることより、統計力学的概念を有する数論式を求めることが課題を解決するために必要であると考えた。
【００１０】
統計力学的概念を有する数論式は、素数磁場での物理的特性を表示するから、永久磁石の静磁場を素数磁場に変換することにより課題は解決できると考えた。      
【００１１】
統計力学的概念を有する数論式は（数式１）（数式２）で表示され、（数式１）は素  数磁場での素数磁束の分布のエントロピ−を表現している。
エントロピ−は秩序の度合いを表現する量であるから、素数磁束は不連続に分布していることになる。そして素数磁束の分布のエントロピ−は、（数式２）で表示されるζ（ｓ）の効果により、減少しようとする。
【００１２】
【数１】
2010197203.tif 000003
【００１３】
【数２】
2010197203.tif 000004
【００１４】
減少したエントロピ−に比例した仕事が素数磁束に与えられ、素数磁束は縦方向と横方向に振動する。従って素数磁場では素数磁束は不連続に分布して、縦方向と横方向に振動している。
【００１５】
素数磁束の不連続分布、縦方向と横方向の振動を内在する素数磁場を、静止状態で無秩序に分布している荷電粒子に作用させると、荷電粒子は素数磁束の振動に伴って回転運動、自転運動を行う。
【００１６】
回転運動、自転運動を行う荷電粒子は、磁気モ−メントを生じ、磁気モ−メントは素数磁場に配向し磁化を発生して整列しようとする。磁気モ−メントも縦方向と横方向に振動するので荷電粒子は運動を得る。
【００１７】
整列し運動を得た荷電粒子は集合を形成し、そしてζ（ｓ）の効果により秩序性とか構造性をなそうとする仕事が与えられ、異種荷電粒子との分離、秩序を有する分布となる。
【００１８】
従って、静止状態で無秩序に分布している荷電粒子に素数磁場を作用させることにより、課題は解決できる。
【００１９】
素数磁場は静止した電荷に運動を与えるので、電場も生じていることになることから、誘電体を分極し、分極電荷を生じさせる。従って、誘電体を金属板ではさんだコンデンサに素数磁場を作用させることにより、誘電現象が生じ、永続的な電気エネルギ−が得られることより、課題は解決できる。
【発明の効果】
【００２０】
静止状態で無秩序に分布している荷電粒子に素数磁場を作用させることにより、荷電粒子は集合し、異種荷電粒子と分離し、秩序を有する分布となることより、直流電圧を与えなくても荷電粒子は、秩序性、運動を得る効果を有する。そして誘電体に素数磁場を作用させることにより、電場を与えなくても誘電体は、分極し、電荷を蓄える効果を有する。
【図面の簡単な説明】
【００２１】
【図１】図１は、素数磁場の作用により、荷電粒子が分離して、整列している図である。
【図２】図２は、誘電体を金属板ではさんだ平行板コンデンサに素数磁場を作用させることにより、永続的な電気エネルギ−を得る図である。
【図３】図３は、海水に素数磁場を作用させることにより、ＮａイオンとＣｌイオンを分離させ、イオン交換膜により真水を得る図である。
【発明を実施するための形態】
【００２２】
発明を実施するためには、数論式と統計力学の基本概念が対応することを説明する必要がある。つまり素数磁束の分布のエントロピ−Σｌｎｌｎλ（ｋ）と統計力学上でのエントロピ−表現が対応することが求められる。統計力学のエントロピ−表現は、正の整数ｋを用いてｌｎｋ！であるから、Σｌｎｌｎλ（ｋ）もｌｎｋ！表示で示されることが求められる。
【００２３】
（数式４）は素数λ（ｋ）と正の整数ｋとの関係を表し、素数  λ（ｋ）と正の整数は結びつく。（数式４）より、（数式１）が導かれ、Σｌｎｌｎλ（ｋ）は素数磁束のエントロピ−を表示する。
【００２４】
【数４】
2010197203.tif 000005
【００２５】
（数式２）は素数磁束の分布に秩序性とか構造性を与える数論上の関数ζ（ｓ）である。
数論上の関数ζ（ｓ）は、物理的には分布に秩序とか構造を与えるための仕事を意味する物理量であると考えられる。このように考える理由は、（数式２）と（数式５）（数式６）より（数式７）が求まり、ζ（ｓ）  は微細構成定数という電磁気力の結合定数を意味するので、原子構造の成立という自然界の原理的事象と深く関わり合っていると考えるからである。
【００２６】
【数５】
2010197203.tif 000006
【００２７】
【数６】
2010197203.tif 000007
【００２８】
【数７】
2010197203.tif 000008
【００２９】
エントロピ−と  ζ（ｓ）は（数式３）により結びつき、比例関係にあるので、素数磁場では、分布の秩序性は常に保たれていることになる。
【００３０】
【数３】
2010197203.tif 000009
【００３１】
素数磁場は誘電体を分極させるから電場を内在し、分極と電場の比例定数である電気感受率は屈折率と関係するので、素数磁場での屈折率の表示は（数式８）となる。素数磁場内の空気中で光は屈折する。
【００３２】
【数８】
2010197203.tif 000010
【００３３】
素数磁場は磁束振動の磁場、即ち時間変化の磁場であるから、静止した無秩序分布の荷電粒子に回転運動、自転運動、磁気モ−メントを与え集合を形成する。そして素数磁場でのζ（ｓ）の効果により異種荷電粒子との分離、秩序を有する分布を得る。
【００３４】
素数磁場では電場も生じているから誘電体に素数磁場を作用させることにより、誘電体は永続的に分極し、誘電体を金属板ではさんだコンデンサを素数磁場内に積層することにより永続的な電気エネルギ−を得る。
【００３５】
従って、発明を実施するための最良の形態は、静止状態で無秩序に分布している荷電粒子に素数磁場を作用させることにより、素数磁束の縦方向と横方向への振動と、ζ（ｓ）の効果により、集合の形成、異種荷電粒子との分離、そして秩序を有する分布を得ることにある。そして誘電体に素数磁場を作用させることにより、分極を生じさせ、誘電現象により永続的な電気エネルギ−を得ることにある。
【００３６】
また、素数磁場では、荷電粒子と異種荷電粒子との分離が生ずることより、模式図を図３に示すように海水を真水にする方法に役立つこともできる。
【符号の説明】
【００３７】
１  複数の永久磁石の同磁極を接触又は近接させた磁石
２  陽電荷粒子
３  陰電荷粒子
４  金属板
５  誘電体
６  電極
７  隔膜
８  陽イオン交換樹脂
９  陰イオン交換樹脂
【図１】
2010197203.tif 000014
【図２】
2010197203.tif 000015
【図３】
2010197203.tif 000016